(57)【要約】【課題】簡易な構造にてベルトに振動を加えて廃棄物の大きさに応じた選別を確実に行い得る廃棄物の粗選別装置を提供することである。【解決手段】外表面に複数の突起体１４の設けられたベルト１０が循環動するコンベア装置１００が、ベルト１０の廃棄物Ｐの投入される外表面が下から上に向けて移動するように傾斜設置される廃棄物の粗選別装置であって、  ベルト１０の幅方向に延び、表面に突起１５２が形成され、ベルト１０の前記廃棄物の投入される側と逆側の面に前記表面が押し付けられて回転自在となるように設置された一または複数の加振ローラ１５を有する構成となる。【選択図】図１
2007098298.tif 000002
【特許請求の範囲】
【請求項１】
外表面に複数の突起体の設けられたベルトが循環動するコンベア装置が、前記ベルトの廃棄物の投入される外表面が下から上に向けて移動するように傾斜設置される廃棄物の粗選別装置であって、
前記ベルトの幅方向に延び、表面に突起が形成され、前記ベルトの前記廃棄物の投入される側と逆側の面に前記表面が押し付けられて回転自在となるように設置された一または複数の加振ローラを有することを特徴とする廃棄物の粗選別装置。
【請求項２】
前記一または複数の加振ローラは、表面にその周方向に配列された複数の突起が形成された少なくとも１つの加振ローラを含むことを特徴とする請求項１記載の廃棄物の粗選別装置。
【請求項３】
前記一または複数の加振ローラは、ローラ本体と、該ローラ本体の外表面に設けられたその回転軸方向に延びる一または複数の柱体とを有することを特徴とする請求項１または２記載の廃棄物の粗選別装置。
【請求項４】
前記ベルトの前記廃棄物の投入される側と逆側の面に表面が押し付けられるように複数の加振ローラが所定の間隔にて配列されたことを特徴とする請求項１乃至３のいずれかに記載の廃棄物の粗選別装置。
【発明の詳細な説明】
【技術分野】
【０００１】
本発明は、飲料容器、食品容器、生活用品等のプラスチック廃材、食品残渣、建築廃材、木質系廃棄物、繊維、ゴム、ガラス、金属、陶器くず等の様々な廃棄物をその大きさに応じて選別する廃棄物の粗選別装置に関する。
【背景技術】
【０００２】
従来、空きペットボトル、空き缶、空き瓶等の資源ごみにビニール袋等のプラスチックフィルムが混在している廃棄物から空きペットボトル、空き缶、空き瓶等の資源ごみとビニール袋等のプラスチックフィルムとを分離する廃棄物分離装置が提案されている（例えば、特許文献１参照）。この従来の廃棄物分離装置は、外表面全体にスパイク状突起の形成されたエンドレスベルトが循環動するベルトコンベアを有し、そのベルトコンベアを傾斜させた状態で使用される。露出しているスパイク状突起が下方から上方に向かうように循環動されるエンドレスベルト上に空きペットボトル、空き缶、空き瓶等の資源ごみとビニール袋等のプラスチックフィルムの混在した廃棄物が投入されると、ベルトコンベアの傾斜によって空きペットボトル、空き缶、空き瓶は、エンドレスベルトに沿って下方に転動落下する一方、ビニール袋等のプラスチックフィルムはスパイク状突起に引っ掛かって上方に搬送される。そして、ベルトコンベアの上端まで搬送されたプラスチックフィルムは、エンドレスベルトの循環動によりその上端から落下する。これにより、空きペットボトル、空き缶、空き瓶等の資源ごみとビニール袋等のプラスチックフィルムとが混在した廃棄物からその資源ごみとプラスチックフィルムとを分離することができる。
【０００３】
また、前記廃棄物分離装置では、空きペットボトル、空き缶、空き瓶等をスパイク状突起に引っ掛かることなく確実にエンドレスベルトに沿って下方に転動落下させるために、エンドレスベルトに連続的に打撃を加える槌打装置が設けられている。この槌打装置によりエンドレスベルトに対して連続的に振動が加えられることにより、スパイク状突起に一時的に引っ掛かった空き缶等もその振動によって確実にエンドレスベルトの下方に転動落下するようになる。
【０００４】
ところで、前述したような廃棄物分離装置の機構は、飲料容器、食品容器、生活用品等のプラスチック廃材、食品残渣、建築廃材、木質系廃棄物、繊維、ゴム、ガラス、金属、陶器等の廃棄物を破砕して得られる廃棄物片をその大きさ等に応じておおまかに選別する廃棄物の粗選別装置に適用することができる。この場合、比較的大きい廃棄物片は、スパイク状突起に引っ掛かってベルトコンベアの上端まで搬送され、一方、比較的小さい廃棄物片は、スパイク状突起に引っ掛かることなくベルトコンベアの下端に落下する。これにより、破砕済みの廃棄物片をその大きさに応じておおまかに選別することができるようになる。
【０００５】
前述した廃棄物の粗選別装置において、前記槌打装置等の加振装置によりエンドレスベルトに対して振動を加えるようにすると、比較的大きい廃棄物片と比較的小さい廃棄物片をより確実に選別することができるようになる。
【特許文献１】特開平９−８５１７９号公報
【発明の開示】
【発明が解決しようとする課題】
【０００６】
しかしながら、前記廃棄物の粗選別装置では、比較的大きい廃棄物片と比較的小さい廃棄物片とをより確実に選別するために別途動力源を必要とする加振装置を設ける必要があり、その構造が複雑になると共にそのコストの上昇を招く。
【０００７】
本発明は、このような従来の問題を解決するためになされたものであり、簡易な構造にてベルトに振動を加えて廃棄物の大きさに応じた選別を確実に行い得る廃棄物の粗選別装置を提供するものである。
【課題を解決するための手段】
【０００８】
本発明に係る廃棄物の粗選別装置は、外表面に複数の突起体の設けられたベルトが循環動するコンベア装置が、前記ベルトの廃棄物の投入される外表面が下から上に向けて移動するように傾斜設置される廃棄物の粗選別装置であって、前記ベルトの幅方向に延び、表面に突起が形成され、前記ベルトの前記廃棄物の投入される側と逆側の面に前記表面が押し付けられて回転自在となるように設置された一または複数の加振ローラを有する構成となる。
【０００９】
このような構成により、コンベア装置のベルトが循環動すると、そのベルトの廃棄物の投入される側と逆側の面に突起の形成された表面が押し付けられる一または複数の加振ローラが当該ベルトの移動に伴って回転させられる。回転する各加振ローラに当接して移動するベルトは、各加振ローラの突起の形成された表面の凸凹によって振動が与えられる。このように振動の与えられた状態で循環動するベルトに廃棄物が投入されると、比較的大きい廃棄物片は、ベルトの外表面に設けられた突起体に引っ掛かってコンベア装置の上端まで搬送され、比較的小さい廃棄物片は、突起体に引っ掛かることなく下方に落下する。そして、比較的小さい廃棄物片は、ベルトの前記突起体に一時的に引っ掛かったとしても、各加振ローラによってベルトに与えられる振動によって確実にベルトの下方に落下するようになる。
【００１０】
また、本発明に係る廃棄物の粗選別装置において、前記一または複数の加振ローラは、表面にその周方向に配列された複数の突起が形成された少なくとも１つの加振ローラを含む構成とすることができる。
【００１１】
このような構成により、ベルトの移動と共に加振ローラが回転すると、その加振ローラの表面にその周方向に配列された複数の突起の数や形状に応じた振動がベルトに与えられるようになる。
【００１２】
また、本発明に係る廃棄物の選別装置において、前記一または複数の加振ローラは、ローラ本体と、該ローラ本体の外表面に設けられた回転軸方向に延びる一または複数の柱体とを有する構成とすることができる。
【００１３】
このような構成により、ローラ本体の外表面に回転軸方向に延びる一または複数の柱体を設けることにより加振ローラが形成されるようになるので、当該加振ローラを比較的容易に造ることができるようになる。
【００１４】
また、本発明に係る廃棄物の選別装置において、前記ベルトの前記廃棄物の投入される側と逆側の面に表面が押し付けられるように複数の加振ローラが所定の間隔にて配列された構成とすることができる。
【００１５】
このような構成により、複数の加振ローラの回転によりベルトに対して様々な振動を与えることができるようになる。
【発明の効果】
【００１６】
本発明に係る廃棄物の粗選別装置によれば、循環動するベルトの移動に伴って回転する加振ローラの当該回転によって前記ベルトに対して振動を与えることができるようになるので、簡易な構造にてベルトに振動を与えて廃棄物の大きさに応じた選別を確実に行なうことができるようになる。
【発明を実施するための最良の形態】
【００１７】
以下、本発明の実施の形態について、図面を用いて説明する。
【００１８】
本発明の実施の一形態に係る廃棄物の粗選別装置は、図１に示すように構成される。
【００１９】
図１において、この廃棄物の粗選別装置は、コンベア装置１００と、コンベア装置１００の傾斜角度を変えるための昇降機２００とを有している。昇降機２００は、シリンダ等で構成され、コンベア装置１００の外部筐体２０の前方所定位置を昇降動させることにより、外部筐体２０の後端部が回動自在に支持された（図示略）コンベア装置１００の傾斜角度を変えるようになっている。なお、前述したシリンダ等で構成される昇降機２００に代えて、モータ等を動力源とした回動機構を用いることもできる。
【００２０】
コンベア装置１００はエンドレスベルト１０を有している。このエンドレスベルト１０は、外部筐体２０の両側面パネル２０ａ、２０ｂの両端部にそれぞれ回転自在に支持された駆動ローラ１１と従動ローラ１２とに巻き掛けられている。駆動ローラ１１には動力源（例えば、モータ）から動力が伝達するようになっており（図示略）、駆動ローラ１１の回転によってエンドレスベルト１０が循環動するようになっている。コンベア装置１００は、前述した昇降機２００によって、駆動ローラ１１が上方に位置し、従動ローラが下方に位置するように所定の角度にて傾斜されている。そして、駆動ローラ１１は、エンドレスベルト１０の廃棄物片Ｐの投入される外表面が下から上（方向Ａ）に移動するように回転する。
【００２１】
エンドレスベルト１０の外表面の両側部にはその外表面から立ち上がる波状となる（後述する図４、図５参照）波桟１０ａ、１０ｂが固着されており、エンドレスベルト１０と共に両波桟１０ａ、１０ｂが循環動するようになっている。エンドレスベルト１０の外表面の両波桟１０ａ、１０ｂの間にはエンドレスベルト１０の幅方向に延びる複数の取り付けバー１３が所定間隔にて配列固定されている。各取り付けバー１３には、所定間隔にて配列された複数の突起体１４が取付けられている。なお、各取り付けバー１３は、後述する廃棄物片の引っ掛かりを極力なくすために、エンドレスベルト１０の移動方向Ａ（図１参照）に向く面とその逆側の面が傾斜させてある。
【００２２】
エンドレスベルト１０の内方側には表面に突起を有する複数の加振ローラ１５が所定の間隔にて配列されている。各加振ローラ１５は、エンドレスベルト１０の廃棄物片Ｐの投入される側の面と逆側の面にその表面が押し付けられるように、外部筐体２０の両側面パネル２０ａ、２０ｂに回転自在に支持されている。
【００２３】
各加振ローラ１５は、図２に示すように、ローラ本体１５１と、そのローラ本体１５１の回転軸方向に延びる２つの柱体１５２とを有している。ローラ本体１５１及び各柱体１５２は例えば金属製であって、各柱体１５２がローラ本体１５１の外表面に溶接等によって接合され、これらの各柱体１５２によって加振ローラ１５の突起が形成される。２つの柱体１５２は、ローラ本体１５１の外表面において対向するように配置されている。なお、各加振ローラ１５は、金属以外の他の材料で形成することも勿論可能である。
【００２４】
前述したような構造となる廃棄物の粗選別装置では、コンベア装置１００のエンドレスベルト１０が循環動すると、そのエンドレスベルト１０の廃棄物片Ｐの投入される側の面と逆側の面（以下、裏面という）に突起（柱体１５２）の形成された表面が押し付けられる複数の加振ローラ１５がエンドレスベルト１０の移動に伴って回転させられる。回転する各加振ローラ１５に当接して移動するエンドレスベルト１０は、各加振ローラ１５の突起（柱体１５２）の形成された表面の凹凸によって振動が与えられる。具体的には、図３（ａ）に示すように、各加振ローラ１５の柱体１５２がエンドレスベルト１０の裏面に押し付けられた状態では、エンドレスベルト１０が持ち上げられ、図３（ｂ）に示すように、各加振ローラ１５の本体ローラ１５１の表面がエンドレスベルト１０の裏面に押し付けられた状態では、持ち上げられたエンドレスベルト１０が下げられる。このような動きによってエンドレスベルト１０に振動が与えられる。
【００２５】
また、図３（ｃ）に示すように、各加振ローラ１５の回転位相がずれてくると、各加振ローラ１５でエンドレスベルト１０の裏面に押し付けられる部位がずれてくるので、エンドレスベルト１０が波打つことになる。その結果、エンドレスベルト１０の外表面に立設された各突起体１４が揺れることになる。
【００２６】
このように、各加振ローラ１５の回転によって振動が与えられ、また、各突起体１４が揺れる状態で循環動するエンドレスベルト１０に、破砕されて種々の大きさとなった廃棄物片Ｐが投入されると、比較的大きい廃棄物片Ｐ１は、突起体１４に引っ掛かってコンベア装置１００の上端部まで搬送されて、その上端部から落下する。一方、比較的小さい廃棄物片Ｐ２は、突起体１４に引っ掛かることなく下方に移動してコンベア装置１００の下端部から落下する。そして、比較的小さい廃棄物片Ｐ２は、突起体１４に一時的に引っ掛かったとしても、前述した各加振ローラ１５によってエンドレスベルト１０に与えられる振動や突起体１４の揺れによって確実にエンドレスベルト１０の下方に落下するようになる。
【００２７】
このようにして、比較的大きい廃棄物片Ｐ１はコンベア装置１００の上端部側（下流側）に、比較的小さい廃棄物片Ｐ２はコンベア装置１００の下端部側（上流側）にそれぞれ集められる。即ち、廃棄物片Ｐはその大きさに応じて選別されることとなる。なお、比較的大きい廃棄物片Ｐを再度破砕し、その再破砕にて得られた廃棄物片Ｐをコンベア装置１００に再投入することもできる。この場合、再破砕によって小さくなった廃棄物片は、前述したのと同様にコンベア装置１００の下端部側に集められる。これにより、比較的小さい大きさで均一化された廃棄物片が得られるようになり、当該廃棄物片の次工程での処理をし易くすることができる。
【００２８】
前述した本発明の実施の形態に係る廃棄物の粗選別装置によれば、表面に突起（柱体１５２）の形成された複数の加振ローラ１５をエンドレスベルト１０の裏面に押し付け、エンドレスベルト１０の移動に伴って振動する前記複数の加振ローラ１５によってエンドレスベルトに振動が与えられ、また、エンドレスベルト１０の外表面に立設された複数の突起体１４が揺れるようになっているので、別途動力源を設けることなく、廃棄物片Ｐの投入されるエンドレスベルト１０に対して振動を与えることができるようになる。その結果、簡易な構造にてエンドレスベルト１０に振動を与えて廃棄物片の大きさに応じた選別を確実に行なうことができるようになる。
【００２９】
なお、エンドレスベルト１０の外表面に設けられる複数の突起体１４の配列態様（エンドレスベルト１０の幅方向及び長手方向の配列）は、選別すべき廃棄物片の大きさに応じて適宜設定することができる。例えば、エンドレスベルト１０の外表面に複数の突起体１４をランダムに配置することも、図４に示すように、エンドレスベルト１０の長手方向に延びる直線Ｌ１、Ｌ２、Ｌ３上に複数の突起体１４を規則的に配列することもできる。また、図５に示すように、各取り付けバー１３における各突起体１４の幅方向の取付け位置を１つおき（複数おきでもよい）にずらすこともできる。図５に示す場合、エンドレスベルト１０の長手方向に延びる直線Ｌ１、Ｌ３、Ｌ５上に突起体１４が所定間隔で配列される取り付けバー１３と、前記直線Ｌ１とＬ３との間の直線Ｌ２、前記直線Ｌ３とＬ５との間の直線Ｌ４、前記直線Ｌ５と波桟１０ａとの間直線Ｌ６上に突起体１４が所定間隔で配列される取り付けバー１３とが１つおきにエンドレスベルト１０の長手方向に配列されている。
【００３０】
なお、各加振ローラ１５は、図２に示すように、ローラ本体１５１の外表面に２つの柱体１５２を接合して突起を形成するものに限られず、１つまたは３つ以上の柱体１５２をローラ１５１の外表面に接合するものであってもよい。また、柱体１５２の断面形状も適宜決めることができる。更に、ローラ本体１５１の回転軸方向全体に突起（柱体１５２）が延びるものでなく、ローラ本体１５の回転軸方向に部分的に延びる突起であってもよい。また、更に、エンドレスベルト１０の内方に配置される複数の加振ローラ１５は、全て同じ形状のものでなくてもよく、各加振ローラ１５の突起の形状を変えることもできる。更に、加振ローラ１５の突起は、円柱（ローラ）に対して突起として作用するものであればよく、断面形状が楕円や、三角、矩形等の多角形となるローラ体を加振ローラとして用いることもできる。また、エンドレスベルト１０の長さや破砕された後の廃棄物片の大きさの不均一性の度合等によっては、単一の加振ローラ１５にてエンドレスベルト１０に振動を与えるだけでもよい。
【００３１】
また、前述した例では、コンベア装置１００はエンドレスベルト１０を用いた所謂ベルトコンベアであったが、エプロンコンベアであってもよい。この場合、帯状にエンドレスに配列された複数の搬送体全体が本件発明におけるベルトとなる。
【００３２】
また、前述した廃棄物の粗選別装置は、飲料容器、食品容器、生活用品等のプラスチック廃材、食品残渣、建築廃材、木質系廃棄物、繊維、ゴム、ガラス、金属、陶器等の廃棄物を破砕して得られた廃棄物片をその大きさに応じて選別するものであったが、選別すべき廃棄物の種類は特に限定されず、従来のように、空きペットボトル、空き缶、空き瓶等の資源ごみにビニール袋等のプラスチックフィルムが混在している廃棄物から空きペットボトル、空き缶、空き瓶等の資源ごみとビニール袋等のプラスチックフィルムとを分離するための装置として利用することもできる。また、エンドレスベルト１０に形成された各突起体１４に比較的引っ掛かり易い紙片、プラスチックフィルム片、木片等を他の廃棄物片（金属缶片、金属材片等）から選別し易くなり、例えば、ＲＰＦ（Refuse Paper and Plastic Fuel）やＲＤＦ（Refuse Derived Fuel）の原料を取出す際の前処理（粗選別）に利用することもできる。
【産業上の利用可能性】
【００３３】
以上、説明したように、本発明に係る廃棄物の粗選別装置は、簡易な構造にてベルトに振動を加えて廃棄物の大きさに応じた選別を確実に行い得るという効果を有し、飲料容器、食品容器、生活用品等のプラスチック廃材、食品残渣、建築廃材、木質系廃棄物、繊維、ゴム、ガラス、金属、陶器くず等の様々な廃棄物をその大きさに応じて選別する廃棄物の粗選別装置として有用である。
【図面の簡単な説明】
【００３４】
【図１】本発明の実施の一形態に係る廃棄物の粗選別装置を示す斜視図である。
【図２】加振ローラの具体的な構成を示す斜視図である。
【図３】加振ローラによってエンドレスベルトに与えられる振動の状態及び突起体の揺れの状態を示す図である。
【図４】エンドレスベルトの外表面に立設される複数の突起体の配列例を示す平面図（ａ）、側面図（ｂ）及び正面図（ｃ）である。
【図５】エンドレスベルトの外表面に立設される複数の突起体の他の配列例を示す平面図（ａ）、側面図（ｂ）及び正面図（ｃ）である。
【符号の説明】
【００３５】
１０  エンドレスベルト
１０ａ、１０ｂ  波桟
１１  駆動ローラ
１２  従動ローラ
１３  取り付けバー
１４  突起柱
１５  加振ローラ
１５１  ローラ本体
１５２  柱体
【図１】
2007098298.tif 000003
【図２】
2007098298.tif 000004
【図３】
2007098298.tif 000005
【図４】
2007098298.tif 000006
【図５】
2007098298.tif 000007